(57)【要約】  本発明の実施例は拡張ページング周期下でのページング時点の計算方法及び装置を提供する。方法はUEがSFN  mod  T=(T  div  N)*(UE_IDextended  mod  N)を用いてページングメッセージが出現するフレーム番号SFNを計算し；UEがi_s=f1oor(UE_IDextended/N)  mod  Nsを用いてページングメッセージが出現するサブフレーム番号i_sを計算し；及び、UEがページングメッセージの出現するフレーム番号及びサブフレーム番号を用いて前記UEの拡張ページング周期下でのページング時点を確定することを含み、TはUEのページング周期であり且つUEの特定の不連続受信（DRX)値に等しく；UE_IDextended=IMSI  mod  (1024・2n)であり、UE_IDextendedはUEのID索引であり、IMSIはUEの国際移動体加入者識別番号であり、nは拡張SFNのビット数であり；N=min(T，nB)であり；Ns=max(1，nB/T)であり；nB∈{4T，2T，T，T/2，T/4，T/8，T/16，T/32}である。本発明の実施例の方法及び装置により、拡張ページング周期下でのページング時点の計算に良い解決案を提供できる。
2016524839.tif 000002
【特許請求の範囲】
【請求項１】
拡張ページング周期下でのページング時点の計算方法であって、
ユーザ装置（UE)が公式SFN  mod  T=(T  div  N)*(UE_IDextended  mod  N)を用いて、ページングメッセージが出現するフレーム番号SFNを計算し；
前記UEが公式i_s=f1oor(UE_IDextended/N)  mod  Nsを用いて、ページングメッセージが出現するサブフレーム番号i_sを計算し；及び
前記UEが、前記ページングメッセージが出現するフレーム番号及びサブフレーム番号を用いて、前記UEの拡張ページング周期下でのページング時点を確定することを含み、
そのうち、Tは、前記UEのページング周期であり、且つ、Tは、前記UEの特定の不連続受信（DRX)値に等しく；UE_IDextended=IMSI  mod  (1024・2n)であり、UE_IDextendedは、前記UEのID索引であり、IMSIは、前記UEの国際移動体加入者識別番号（internationa1  mobi1e  subscriber  identity）であり、nは、拡張スーパーフレーム番号（SFN)のビット数であり；N=min(T，nB)であり；Ns=max(1，nB/T)であり；nB∈{4T，2T，T，T/2，T/4，T/8，T/16，T/32}である、方法。
【請求項２】
拡張ページング周期下でのページング時点の計算方法であって、
移動管理実体（MME)が公式UE_IDextended=IMSI  mod  (1024・2n)を用いて、UEのID索引UE_IDextendedを計算し；及び
前記MMEが前記UEのID索引UE_IDextendedを基地局（eNB)に送信し、これにより、前記eNBがこれに基づいて前記UEのページング時点を計算することを含み、
そのうち、IMSIは、前記UEの国際移動体加入者識別番号であり、nは、拡張スーパーフレーム番号（SFN)のビット数である、方法。
【請求項３】
拡張ページング周期下でのページング時点の計算方法であって、
基地局（eNB)がMMEにより送信されたUEのID索引UE_IDextendedを受信し；
前記eNBが公式SFN  mod  T=(T  div  N)*(UE_IDextended  mod  N)を用いて、前記UEのページングメッセージが出現するフレーム番号SFNを計算し；
前記eNBが公式i_s=f1oor(UE_IDextended/N)  mod  Nsを用いて、前記UEのページングメッセージが出現するサブフレーム番号i_sを計算し；及び
前記eNBが、前記UEのページングメッセージが出現するフレーム番号SFN及びサブフレーム番号i_sを用いて、前記UEの拡張ページング周期下でのページング時点を確定することを含み、
そのうち、Tは、前記UEのページング周期であり、且つ、Tは、前記UEの特定の不連続受信(DRX)値に等しく；N=min(T，nB)であり；Ns=max(1，nB/T)であり；nB∈{4T，2T，T，T/2，T/4，T/8，T/16，T/32}である、方法。
【請求項４】
ユーザ装置（UE)であって、
公式SFN  mod  T=(T  div  N)*(UE_IDextended  mod  N)を用いて、前記UEのページングメッセージが出現するフレーム番号SFNを計算する第一計算ユニット；
公式i_s=f1oor(UE_IDextended/N)  mod  Nsを用いて、前記UEのページングメッセージが出現するサブフレーム番号i_sを計算する第二計算ユニット；及び
前記第一計算ユニットが計算した、前記UEのページングメッセージが出現するフレーム番号、及び、前記第二計算ユニットが計算した、前記UEのページングメッセージが出現するサブフレーム番号を用いて、前記UEの拡張ページング周期下でのページング時点を確定する確定ユニットを含み、
そのうち、Tは、前記UEのページング周期であり、且つ、Tは、前記UEの特定の不連続受信（DRX)値に等しく；UE_IDextended=IMSI  mod  (1024・2n)であり、UE_IDextendedは、前記UEのID索引であり、IMSIは、前記UEの国際移動体加入者識別番号（internationa1  mobi1e  subscriber  identity）であり、nは、拡張スーパーフレーム番号（SFN)のビット数であり；N=min(T，nB)であり；Ns=max(1，nB/T)であり；nB∈{4T，2T，T，T/2，T/4，T/8，T/16，T/32}である、UE。
【請求項５】
移動管理実体（MME)であって、
公式UE_IDextended=IMSI  mod  (1024・2n)を用いて、UEのID索引UE_IDextendedを計算する計算ユニット；及び
前記計算ユニットが計算した前記UEのID索引を基地局(eNB)に送信し、これにより、前記eNBがこれに基づいて前記UEのページング時点を計算する送信ユニットを含み、
そのうち、IMSIは、前記UEの国際移動体加入者識別番号であり、nは、拡張スーパーフレーム番号（SFN)のビット数である、MME。
【請求項６】
基地局（eNB)であって、
MMEが送信したUEのID索引UE_IDextendedを受信する受信ユニット；
公式SFN  mod  T=(T  div  N)*(UE_IDextended  mod  N)を用いて、前記UEのページングメッセージが出現するフレーム番号SFNを計算する第一計算ユニット；
公式i_s=f1oor(UE_IDextended/N)  mod  Nsを用いて、前記UEのページングメッセージが出現するサブフレーム番号i_sを計算する第二計算ユニット；及び
前記第一計算ユニットが計算した、前記UEのページングメッセージが出現するフレーム番号SFN、及び、前記第二計算ユニットが計算した、前記UEのページングメッセージが出現するサブフレーム番号i_sを用いて、前記UEの拡張ページング周期下でのページング時点を確定する確定ユニットを含み、
そのうち、Tは、前記UEのページング周期であり、且つ、Tは、前記UEの特定の不連続受信(DRX)値に等しく；N=min(T，nB)であり；Ns=max(1，nB/T)であり；nB∈{4T，2T，T，T/2，T/4，T/8，T/16，T/32}である、eNB。
【請求項７】
通信システムであって、
前記通信システムは、請求項4に記載のUE、請求項5に記載のMME、及び請求項6に記載のeNBを含む、通信システム。
【請求項８】
拡張ページング周期下でのページング時点の計算方法であって、
UEが公式SFN  mod  T=(T  div  N)*(UE_ID  mod  N)を用いて、原始SFNの索引SFNを計算し、また、公式SFNindexoffset=f1oor(IMSI/1024)  mod  2n及び（SFNindex-SFNindexoffset)  mod  (Textended/1024)=0を用いて、拡張SFNの索引SFNindexを計算し；
前記UEが前記原始SFNの索引SFN及び前記拡張SFNの索引SFNindexに基づいて、前記UEのページングメッセージが出現するフレーム番号を確定し；
前記UEが公式i_s=f1oor(UE_ID/N)  mod  Nsを用いて、ページングメッセージが出現するサブフレーム番号i_sを計算し；及び
前記UEが、前記ページングメッセージが出現するフレーム番号及びサブフレーム番号を用いて、前記UEの拡張ページング周期下でのページング時点を確定することを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり；nは、前記拡張SFNのビット数であり；N=min(T，nB)であり；Ns=max(1，nB/T)であり；nB∈{4T，2T，T，T/2，T/4，T/8，T/16，T/32}である、方法。
【請求項９】
拡張ページング周期下でのページング時点の計算方法であって、
MMEが公式SFNindexoffset=f1oor(IMSI/1024)  mod  2nを用いて、拡張SFNの索引SFNindexの相対オフセットSFNindexoffsetを計算し；及び
前記MMEが前記拡張SFNの索引SFNindexの相対オフセットSFNindexoffsetをeNBに送信し、これにより、前記eNBがこれに基づいて前記UEのページング時点を計算することを含み、
そのうち、IMSIは、前記UEの国際移動体加入者識別番号であり、nは、前記拡張SFNのビット数である、方法。
【請求項１０】
拡張ページング周期下でのページング時点の計算方法であって、
eNBがMMEにより送信された拡張SFNの索引SFNindexの相対オフセットSFNindexoffsetを受信し；
前記eNBが公式（SFNindex-SFNindexoffset)  mod  (Textended/1024)=0を用いて、拡張SFNの索引SFNindexを確定し；
前記eNBが公式SFN  mod  T=(T  div  N)*(UE_ID  mod  N)を用いて、原始SFNの索引SFNを計算し；
前記eNBが前記原始SFNの索引SFN及び前記拡張SFNの索引SFNindexに基づいて、前記UEのページングメッセージが出現するフレーム番号を確定し；
前記eNBが公式i_s=f1oor(UE_ID/N)  mod  Nsを用いて、前記UEのページングメッセージが出現するサブフレーム番号i_sを計算し；及び
前記eNBが、前記ページングメッセージが出現するフレーム番号及びサブフレーム番号を用いて、前記UEの拡張ページング周期下でのページング時点を確定することを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_IDは、前記UEのID索引であり；N=min(T，nB)であり；Ns=max(1，nB/T)であり；nB∈{4T，2T，T，T/2，T/4，T/8，T/16，T/32}である、方法。
【請求項１１】
ユーザ装置（UE)であって、
公式SFN  mod  T=(T  div  N)*(UE_ID  mod  N)を用いて、原始SFNの索引SFNを計算し、また、公式SFNindexoffset=f1oor(IMSI/1024)  mod  2n及び（SFNindex-SFNindexoffset)  mod  (Textended/1024)=0を用いて、拡張SFNの索引SFNindexを計算する第一計算ユニット；
前記第一計算ユニットが計算した原始SFNの索引SFN及び前記拡張SFNの索引SFNindexに基づいて、前記UEのページングメッセージが出現するフレーム番号を確定する第一確定ユニット；
公式i_s=f1oor(UE_ID/N)  mod  Nsを用いて、前記UEのページングメッセージが出現するサブフレーム番号i_sを計算する第二計算ユニット；及び
前記第一確定ユニットが確定した、前記UEのページングメッセージが出現するフレーム番号、及び、前記第二計算ユニットが計算した、前記UEのページングメッセージが出現するサブフレーム番号を用いて、前記UEの拡張ページング周期下でのページング時点を確定する第二確定ユニットを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり；nは、前記拡張SFNのビット数であり；N=min(T，nB)であり；Ns=max(1，nB/T)であり；nB∈{4T，2T，T，T/2，T/4，T/8，T/16，T/32}である、UE。
【請求項１２】
移動管理実体（MME)であって、
公式SFNindexoffset=f1oor(IMSI/1024)  mod  2nを用いて、拡張SFNの索引SFNindexの相対オフセットSFNindexoffsetを計算する計算ユニット；及び
前記計算ユニットが計算した前記拡張SFNの索引SFNindexの相対オフセットSFNindexoffsetをeNBに送信し、これにより、前記eNBがこれに基づいて前記UEのページング時点を計算する送信ユニットを含み、
そのうち、IMSIは、前記UEの国際移動体加入者識別番号であり、nは、前記拡張SFNのビット数である、MME。
【請求項１３】
基地局（eNB)であって、
MMEが送信した拡張SFNの索引SFNindexの相対オフセットSFNindexoffsetを受信する受信ユニット；
公式（SFNindex-SFNindexoffset)  mod  (Textended/1024)=0を用いて、拡張SFNの索引SFNindexを確定する第一確定ユニット；
公式SFN  mod  T=(T  div  N)*(UE_ID  mod  N)を用いて、原始SFNの索引SFNを計算する第一計算ユニット；
前記第一計算ユニットが計算した前記原始SFNの索引SFN及び前記第一確定ユニットが確定した拡張SFNの索引SFNindexに基づいて、前記UEのページングメッセージが出現するフレーム番号を確定する第二確定ユニット；
公式i_s=f1oor(UE_ID/N)  mod  Nsを用いて、前記UEのページングメッセージが出現するサブフレーム番号i_sを計算する第二計算ユニット；及び
前記第二確定ユニットが確定した、前記UEのページングメッセージが出現するフレーム番号、及び、前記第二計算ユニットが計算した、前記UEのページングメッセージが出現するサブフレーム番号を用いて、前記UEの拡張ページング周期下でのページング時点を確定する第三確定ユニットを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_IDは、前記UEのID索引であり；nは、前記拡張SFNのビット数であり；N=min(T，nB)であり；Ns=max(1，nB/T)であり；nB∈{4T，2T，T，T/2，T/4，T/8，T/16，T/32}である、eNB。
【請求項１４】
通信システムであって、
前記通信システムは、請求項11に記載のUE、請求項12に記載のMME、及び請求項13に記載のeNBを含む、通信システム。
【請求項１５】
コンピュータ可読プログラムであって、
端末装置中で該プログラムを実行する時に、該プログラムは、コンピュータに、前記端末装置中で請求項1又は8に記載の拡張ページング周期下でのページング時点の計算方法を実行させるための、プログラム。
【請求項１６】
コンピュータ可読プログラムを記憶した記憶媒体であって、
該コンピュータ可読プログラムは、コンピュータに、端末装置中で請求項1又は8に記載の拡張ページング周期下でのページング時点の計算方法を実行させる、記憶媒体。
【請求項１７】
コンピュータ可読プログラムであって、
移動管理実体中で該プログラムを実行する時に、該プログラムは、コンピュータに、前記移動管理実体中で請求項2又は9に記載の拡張ページング周期下でのページング時点の計算方法を実行させるための、プログラム。
【請求項１８】
コンピュータ可読プログラムを記憶した記憶媒体であって、
該コンピュータ可読プログラムは、コンピュータに、移動管理実体中で請求項2又は9に記載の拡張ページング周期下でのページング時点の計算方法を実行させる、記憶媒体。
【請求項１９】
コンピュータ可読プログラムであって、
基地局中で該プログラムを実行する時に、該プログラムは、コンピュータに、前記基地局中で請求項3又は10に記載の拡張ページング周期下でのページング時点の計算方法を実行させるための、プログラム。
【請求項２０】
コンピュータ可読プログラムを記憶した記憶媒体であって、
該コンピュータ可読プログラムは、コンピュータに、基地局中で請求項3又は10に記載の拡張ページング周期下でのページング時点の計算方法を実行させる、記憶媒体。
【発明の詳細な説明】
【技術分野】
【０００１】
本発明は、通信分野に関し、特に、拡張ページング周期下でのページング時点（paging  occasion）の計算方法及び装置に関する。
【背景技術】
【０００２】
MTC(Machine  Type  Communications、マシン型通信）とは、人的関与が不要のマシン間通信を指し、それは、非常に広い応用シナリオを有し、主に、オブジェクト追踪／尾行、環境／気候監視、リモート医療などを含む。異なるMTC応用については、その特性にもかなり大きな違いが存在する。また、異なる応用特性については、異なる最適化方法を採用することができる。
【０００３】
一方では、無線通信が絶えず進化するにつれて、UE(User  Equipment；ユーザ装置；ユーザと略称する）のエネルギー有効性の向上もますます重要になる。他方では、大多数のMTC装置の電池寿命が該装置の使用時間を決定する。よって、省エネルギーは、MTC通信中で非常に重要な役割を果たす。MTC応用の１つの主要な特性が時間遅延に不敏感であることを考慮すると、ページング周期を拡張し、UEがページングをモニタリングする回数を減らすことは、特にサービス量が比較的少ないMTC応用にとって、非常に有効な省エネルギー方法である。ページング周期拡張後、UEの多くの側面の行為が影響を受ける。１つの非常に重要な側面は、ページング時点の計算である。
【０００４】
ページング時点とは、ページングメッセージを受信可能なタイムインスタンス（time  instance）を指す。発明者は本発明の実現過程において、今のところのLTE-Aシステム中でページング時点の計算がシステムのスーパーフレーム番号（SFN、Super  Frame  Number)に直接関係することを発見した。今のところ、システムのSFNの値範囲は[0，1023]であり、言い換えると、UEの最大ページング周期は1024個のフレームである。よって、より長いページング周期をサポートするために、SFNの値を拡張しなければならない。UEのページング周期及びシステムのSFNの両方が拡張された後に、依然として従来方法を採用してUEのページング時点を計算するとき、１つの重要な問題は、UEのページング時点が拡張SFNの値範囲内で均一に分布しないことであり、これは必ずページングのパフォーマンスに影響を与える。
【０００５】
なお、上述の背景技術についての紹介は、本発明の技術案を明確且つ完全に説明し、当業者がそれを容易に理解し得るためだけのものである。これらの技術案は、本発明の背景技術の部分に説明されているから当業者にとって周知であると解釈されるべきではない。
【発明の概要】
【発明が解決しようとする課題】
【０００６】
本発明の実施例の目的は、拡張ページング周期下でのページング時点の計算方法及び装置を提供することにある。
【課題を解決するための手段】
【０００７】
本発明の実施例の第一側面によれば、拡張ページング周期下でのページング時点の計算方法が提供され、そのうち、前記方法は、
ユーザ装置（UE)が公式SFN  mod  T=(T  div  N)*(UE_IDextended  mod  N)を用いて、ページングメッセージが出現するフレーム番号SFNを計算し；
前記UEが公式i_s=f1oor(UE_IDextended/N)  mod  Nsを用いて、ページングメッセージが出現するサブフレーム番号i_sを計算し；及び
前記UEが、前記ページングメッセージが出現するフレーム番号及びサブフレーム番号を用いて、前記UEの拡張ページング周期下でのページング時点を確定することを含み、
そのうち、Tは、前記UEのページング周期であり、且つ、Tは、前記UEの特定の不連続受信（DRX)値に等しく；UE_IDextended=IMSI  mod  (1024・2n)であり、UE_IDextendedは、前記UEのID索引（index）であり、IMSIは、前記UEの国際移動体加入者識別番号（internationa1  mobi1e  subscriber  identity）であり、nは、拡張スーパーフレーム番号（SFN)のビット数であり；N=min(T，nB)であり；Ns=max(1，nB/T)であり；nB∈{4T，2T，T，T/2，T/4，T/8，T/16，T/32}である。
【０００８】
本発明の実施例の第二側面によれば、拡張ページング周期下でのページング時点の計算方法が提供され、そのうち、前記方法は、
移動管理実体（MME)が公式UE_IDextended=IMSI  mod  (1024・2n)を用いて、UEのID索引UE_IDextendedを計算し；及び
前記MMEが前記UEのID索引UE_IDextendedを基地局（eNB)に送信し、これにより、前記eNBがこれに基づいて前記UEのページング時点を計算することを含み、
そのうち、IMSIは、前記UEの国際移動体加入者識別番号であり、nは、拡張スーパーフレーム番号（SFN)のビット数である。
【０００９】
本発明の実施例の第三側面によれば、拡張ページング周期下でのページング時点の計算方法が提供され、そのうち、前記方法は、
基地局（eNB)がMMEにより送信されたUEのID索引UE_IDextendedを受信し；
前記eNBが公式SFN  mod  T=(T  div  N)*(UE_IDextended  mod  N)を用いて、前記UEのページングメッセージが出現するフレーム番号SFNを計算し；
前記eNBが公式i_s=f1oor(UE_IDextended/N)  mod  Nsを用いて、前記UEのページングメッセージが出現するサブフレーム番号i_sを計算し；及び
前記eNBが、前記UEのページングメッセージが出現するフレーム番号SFN及びサブフレーム番号i_sを用いて、前記UEの拡張ページング周期下でのページング時点を確定することを含み、
そのうち、Tは、前記UEのページング周期であり、且つ、Tは、前記UEの特定の不連続受信(DRX)値に等しく；N=min(T，nB)であり；Ns=max(1，nB/T)であり；nB∈{4T，2T，T，T/2，T/4，T/8，T/16，T/32}である。
【００１０】
本発明の実施例の第四側面によれば、ユーザ装置（UE)が提供され、そのうち、前記UEは、
公式SFN  mod  T=(T  div  N)*(UE_IDextended  mod  N)を用いて、前記UEのページングメッセージが出現するフレーム番号SFNを計算する第一計算ユニット；
公式i_s=f1oor(UE_IDextended/N)  mod  Nsを用いて、前記UEのページングメッセージが出現するサブフレーム番号i_sを計算する第二計算ユニット；及び
前記第一計算ユニットが計算した、前記UEのページングメッセージが出現するフレーム番号、及び、前記第二計算ユニットが計算した、前記UEのページングメッセージが出現するサブフレーム番号を用いて、前記UEの拡張ページング周期下でのページング時点を確定する確定ユニットを含み、
そのうち、Tは、前記UEのページング周期であり、且つ、Tは、前記UEの特定の不連続受信（DRX)値に等しく；UE_IDextended=IMSI  mod  (1024・2n)であり、UE_IDextendedは、前記UEのID索引であり、IMSIは、前記UEの国際移動体加入者識別番号（internationa1  mobi1e  subscriber  identity）であり、nは、拡張スーパーフレーム番号（SFN)のビット数であり；N=min(T，nB)であり；Ns=max(1，nB/T)であり；nB∈{4T，2T，T，T/2，T/4，T/8，T/16，T/32}である。
【００１１】
本発明の実施例の第五側面によれば、移動管理実体（MME)が提供され、そのうち、前記MMEは、
公式UE_IDextended=IMSI  mod  (1024・2n)を用いて、UEのID索引UE_IDextendedを計算する計算ユニット；及び
前記計算ユニットが計算した前記UEのID索引を基地局(eNB)に送信し、これにより、前記eNBがこれに基づいて前記UEのページング時点を計算する送信ユニットを含み、
そのうち、IMSIは、前記UEの国際移動体加入者識別番号であり、nは、拡張スーパーフレーム番号（SFN)のビット数である。
【００１２】
本発明の実施例の第六側面によれば、基地局（eNB)が提供され、そのうち、前記eNBは、
MMEが送信したUEのID索引UE_IDextendedを受信する受信ユニット；
公式SFN  mod  T=(T  div  N)*(UE_IDextended  mod  N)を用いて、前記UEのページングメッセージが出現するフレーム番号SFNを計算する第一計算ユニット；
公式i_s=f1oor(UE_IDextended/N)  mod  Nsを用いて、前記UEのページングメッセージが出現するサブフレーム番号i_sを計算する第二計算ユニット；及び
前記第一計算ユニットが計算した、前記UEのページングメッセージが出現するフレーム番号SFN、及び、前記第二計算ユニットが計算した、前記UEのページングメッセージが出現するサブフレーム番号i_sを用いて、前記UEの拡張ページング周期下でのページング時点を確定する確定ユニットを含み、
そのうち、Tは、前記UEのページング周期であり、且つ、Tは、前記UEの特定の不連続受信(DRX)値に等しく；N=min(T，nB)であり；Ns=max(1，nB/T)であり；nB∈{4T，2T，T，T/2，T/4，T/8，T/16，T/32}である。
【００１３】
本発明の実施例の第七側面によれば、通信システムが提供され、そのうち、前記通信システムは、請求項4に記載のUE、請求項5に記載のMME、及び請求項6に記載のeNBを含む。
【００１４】
本発明の実施例の第八側面によれば、拡張ページング周期下でのページング時点の計算方法が提供され、そのうち、前記方法は、
UEが公式SFN  mod  T=(T  div  N)*(UE_ID  mod  N)を用いて、原始SFNの索引SFNを計算し、また、公式SFNindexoffset=f1oor(IMSI/1024)  mod  2n及び（SFNindex-SFNindexoffset)  mod  (Textended/1024)=0を用いて、拡張SFNの索引SFNindexを計算し；
前記UEが前記原始SFNの索引SFN及び前記拡張SFNの索引SFNindexに基づいて、前記UEのページングメッセージが出現するフレーム番号を確定し；
前記UEが公式i_s=f1oor(UE_ID/N)  mod  Nsを用いて、ページングメッセージが出現するサブフレーム番号i_sを計算し；及び
前記UEが、前記ページングメッセージが出現するフレーム番号及びサブフレーム番号を用いて、前記UEの拡張ページング周期下でのページング時点を確定することを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり；nは、前記拡張SFNのビット数であり；N=min(T，nB)であり；Ns=max(1，nB/T)であり；nB∈{4T，2T，T，T/2，T/4，T/8，T/16，T/32}である。
【００１５】
本発明の実施例の第九側面によれば、拡張ページング周期下でのページング時点の計算方法が提供され、そのうち、前記方法は、
MMEが公式SFNindexoffset=f1oor(IMSI/1024)  mod  2nを用いて、拡張SFNの索引SFNindexの相対オフセットSFNindexoffsetを計算し；及び
前記MMEが前記拡張SFNの索引SFNindexの相対オフセットSFNindexoffsetをeNBに送信し、これにより、前記eNBがこれに基づいて前記UEのページング時点を計算することを含み、
そのうち、IMSIは、前記UEの国際移動体加入者識別番号であり、nは、前記拡張SFNのビット数である。
【００１６】
本発明の実施例の第十側面によれば、拡張ページング周期下でのページング時点の計算方法が提供され、そのうち、前記方法は、
eNBがMMEにより送信された拡張SFNの索引SFNindexの相対オフセットSFNindexoffsetを受信し；
前記eNBが公式（SFNindex-SFNindexoffset)  mod  (Textended/1024)=0を用いて、拡張SFNの索引SFNindexを確定し；
前記eNBが公式SFN  mod  T=(T  div  N)*(UE_ID  mod  N)を用いて、原始SFNの索引SFNを計算し；
前記eNBが前記原始SFNの索引SFN及び前記拡張SFNの索引SFNindexに基づいて、前記UEのページングメッセージが出現するフレーム番号を確定し；
前記eNBが公式i_s=f1oor(UE_ID/N)  mod  Nsを用いて、前記UEのページングメッセージが出現するサブフレーム番号i_sを計算し；及び
前記eNBが、前記ページングメッセージが出現するフレーム番号及びサブフレーム番号を用いて、前記UEの拡張ページング周期下でのページング時点を確定することを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_IDは、前記UEのID索引であり；N=min(T，nB)であり；Ns=max(1，nB/T)であり；nB∈{4T，2T，T，T/2，T/4，T/8，T/16，T/32}である。
【００１７】
本発明の実施例の第十一側面によれば、ユーザ装置（UE)が提供され、そのうち、前記UEは、
公式SFN  mod  T=(T  div  N)*(UE_ID  mod  N)を用いて、原始SFNの索引SFNを計算し、また、公式SFNindexoffset=f1oor(IMSI/1024)  mod  2n及び（SFNindex-SFNindexoffset)  mod  (Textended/1024)=0を用いて、拡張SFNの索引SFNindexを計算する第一計算ユニット；
前記第一計算ユニットが計算した原始SFNの索引SFN及び前記拡張SFNの索引SFNindexに基づいて、前記UEのページングメッセージが出現するフレーム番号を確定する第一確定ユニット；
公式i_s=f1oor(UE_ID/N)  mod  Nsを用いて、前記UEのページングメッセージが出現するサブフレーム番号i_sを計算する第二計算ユニット；及び
前記第一確定ユニットが確定した、前記UEのページングメッセージが出現するフレーム番号、及び、前記第二計算ユニットが計算した、前記UEのページングメッセージが出現するサブフレーム番号を用いて、前記UEの拡張ページング周期下でのページング時点を確定する第二確定ユニットを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり；nは、前記拡張SFNのビット数であり；N=min(T，nB)であり；Ns=max(1，nB/T)であり；nB∈{4T，2T，T，T/2，T/4，T/8，T/16，T/32}である。
【００１８】
本発明の実施例の第十二側面によれば、移動管理実体（MME)が提供され、そのうち、前記MMEは、
公式SFNindexoffset=f1oor(IMSI/1024)  mod  2nを用いて、拡張SFNの索引SFNindexの相対オフセットSFNindexoffsetを計算する計算ユニット；及び
前記計算ユニットが計算した前記拡張SFNの索引SFNindexの相対オフセットSFNindexoffsetをeNBに送信し、これにより、前記eNBがこれに基づいて前記UEのページング時点を計算する送信ユニットを含み、
そのうち、IMSIは、前記UEの国際移動体加入者識別番号であり、nは、前記拡張SFNのビット数である。
【００１９】
本発明の実施例の第十三側面によれば、基地局（eNB)が提供され、そのうち、前記eNBは、
MMEが送信した拡張SFNの索引SFNindexの相対オフセットSFNindexoffsetを受信する受信ユニット；
公式（SFNindex-SFNindexoffset)  mod  (Textended/1024)=0を用いて、拡張SFNの索引SFNindexを確定する第一確定ユニット；
公式SFN  mod  T=(T  div  N)*(UE_ID  mod  N)を用いて、原始SFNの索引SFNを計算する第一計算ユニット；
前記第一計算ユニットが計算した前記原始SFNの索引SFN及び前記第一確定ユニットが確定した拡張SFNの索引SFNindexに基づいて、前記UEのページングメッセージが出現するフレーム番号を確定する第二確定ユニット；
公式i_s=f1oor(UE_ID/N)  mod  Nsを用いて、前記UEのページングメッセージが出現するサブフレーム番号i_sを計算する第二計算ユニット；及び
前記第二確定ユニットが確定した、前記UEのページングメッセージが出現するフレーム番号、及び、前記第二計算ユニットが計算した、前記UEのページングメッセージが出現するサブフレーム番号を用いて、前記UEの拡張ページング周期下でのページング時点を確定する第三確定ユニットを含み、
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_IDは、前記UEのID索引であり；nは、前記拡張SFNのビット数であり；N=min(T，nB)であり；Ns=max(1，nB/T)であり；nB∈{4T，2T，T，T/2，T/4，T/8，T/16，T/32}である。
【００２０】
本発明の実施例の第十四側面によれば、通信システムが提供され、そのうち、前記通信システムは、請求項11に記載のUE、請求項12に記載のMME、及び請求項13に記載のeNBを含む。
【００２１】
本発明の実施例の他の側面によれば、コンピュータ可読プログラムが更に提供され、そのうち、端末装置中で該プログラムを実行する時に、該プログラムは、コンピュータに、前記端末装置中で前述の第一側面又は第八側面に記載の拡張ページング周期下でのページング時点の計算方法を実行させる。
【００２２】
本発明の実施例の他の側面によれば、コンピュータ可読プログラムを記憶した記憶媒体が更に提供され、そのうち、該コンピュータ可読プログラムは、コンピュータに、端末装置中で、前述の第一側面又は第八側面に記載の拡張ページング周期下でのページング時点の計算方法を実行させる。
【００２３】
本発明の実施例の他の側面によれば、コンピュータ可読プログラムが更に提供され、そのうち、移動管理実体中で該プログラムを実行する時に、該プログラムは、コンピュータに、前記移動管理実体中で前述の第二側面又は第九側面に記載の拡張ページング周期下でのページング時点の計算方法を実行させる。
【００２４】
本発明の実施例の他の側面によれば、コンピュータ可読プログラムを記憶した記憶媒体が更に提供され、そのうち、該コンピュータ可読プログラムは、コンピュータに、移動管理実体中で前述の第二側面又は第九側面に記載の拡張ページング周期下でのページング時点の計算方法を実行させる。
【００２５】
本発明の実施例の他の側面によれば、コンピュータ可読プログラムが更に提供され、そのうち、基地局中で該プログラムを実行する時に、該プログラムは、コンピュータに、前記基地局中で前述の第三側面又は第十側面に記載の拡張ページング周期下でのページング時点の計算方法を実行させる。
【００２６】
本発明の実施例の他の側面によれば、コンピュータ可読プログラムを記憶した記憶媒体が更に提供され、そのうち、該コンピュータ可読プログラムは、コンピュータに、基地局中で前述の第三側面又は第十側面に記載の拡張ページング周期下でのページング時点の計算方法を実行させる。
【００２７】
本発明の実施例の有益な効果は、本発明の実施例の方法及び装置により、拡張ページング周期下でのページング時点の計算に良い解決案を提供することができる。
【００２８】
後述の説明及び図面を参照することにより、本発明の特定の実施方式が詳しく開示されており、本発明の原理を採用し得る態様が示されている。なお、本発明の実施方式は、範囲上ではこれらによって限定されない。添付した特許請求の範囲の精神及び技術範囲内であれば、本発明の実施方式は、様々な変更、修正及び代替によるものを含んでも良い。
【００２９】
また、１つの実施方式について説明した及び／又は示した特徴は、同じ又は類似する方式で１つ又は複数の他の実施方式に用い、他の実施方式中の特徴と組み合わせ、又は他の実施方式中の特徴を置換することができる。
【００３０】
なお、「含む／有する」のような用語は、本明細書に使用される時に、特徴、要素、ステップ、又はアセンブルの存在を指すが、１つ又は複数の他の特徴、要素、ステップ、又はアセンブリの存在又は付加を排除しないということも指す。
【図面の簡単な説明】
【００３１】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する部分は、拡大又は縮小されることがある。また、本発明の１つの図面又は実施方式に記載の要素及び特徴は、１つ又は複数の他の図面又は実施方式に示す要素及び特徴と組み合わせることができる。さらに、図面では、類似する符号は幾つかの図面中の対応する要素を示し、また、複数の実施方式に使用される対応する要素を示すために用いることができる。
【図１】本発明の実施例1のページング時点計算方法のフローチャートである。
【図２】本発明の実施例2のページング時点計算方法のフローチャートである。
【図３】本発明の実施例3のページング時点計算方法のフローチャートである。
【図４】実施例1のページング時点計算方法に対応するUEの構成図である。
【図５】実施例2のページング時点計算方法に対応するMMEの構成図である。
【図６】実施例3のページング時点計算方法に対応するeNBの構成図である。
【図７】本発明の実施例7のページング時点計算方法のフローチャートである。
【図８】本発明の実施例8のページング時点計算方法のフローチャートである。
【図９】本発明の実施例9のページング時点計算方法のフローチャートである。
【図１０】実施例7のページング時点計算方法に対応するUEの構成図である。
【図１１】実施例8のページング時点計算方法に対応するMMEの構成図である。
【図１２】実施例9のページング時点計算方法に対応するeNBの構成図である。
【発明を実施するための形態】
【００３２】
図面及び以下の説明を参照することによって、本発明の実施例の前述及び他の特徴は明らかになる。なお、これらの実施方式は例示にすぎず、本発明を限定するものでない。当業者が容易に本発明の原理及び実施方式を理解するために、本発明の実施方式はLTEシステム中でページング時点を計算する方法を例として説明するが、理解すべきは、本発明の実施例は上述のシステムに限定されず、ページング時点計算に関する他のシステムにも適用することができる。
【００３３】
本発明の実施例では、UEのページング周期を拡張するために、先にシステムのSFNを拡張しなければならない。nビットをシステムのSFNの拡張のために導入すると、拡張後のSFNの値範囲は[0，1024*2n-1]である。拡張後のSFNについて、本発明の実施例は、UEのページング時点を計算するための２種類の方法を提案する。
【００３４】
以下、実施例1〜実施例3をもとに、本発明の実施例による第一種のUEのページング時点を計算する方法について説明する。
【実施例１】
【００３５】
本発明の実施例は、拡張ページング周期下でのページング時点の計算方法を提供し、該方法はUEに用いられる。図1は、該方法のフローチャートであり、図1に示すように、該方法は次のステップを含む。
【００３６】
ステップ101：UEが公式SFN  mod  T=(T  div  N)*(UE_IDextended  mod  N)を用いて、ページングメッセージが出現するフレーム番号SFNを計算し；
そのうち、"mod"は、モジュラス関数（modulo  operation）であり、"div"は、除法による計算であり、以下、同様である。
【００３７】
ステップ102：前記UEが公式i_s=f1oor(UE_IDextended/N)  mod  Nsを用いて、ページングメッセージが出現するサブフレーム番号i_sを計算し；
そのうち、"f1oor"は、FLOOR関数（round  down）であり、以下、同様である。
【００３８】
ステップ103：前記UEが、前記ページングメッセージが出現するフレーム番号及びサブフレーム番号を用いて、前記UEの拡張ページング周期下でのページング時点を確定し；
そのうち、Tは、前記UEのページング周期であり、且つ、Tは、前記UEの特定の不連続受信（DRX)値に等しく；UE_IDextended=IMSI  mod  (1024・2n)であり、UE_IDextendedは、前記UEのID索引であり、IMSIは、前記UEの国際移動体加入者識別番号（internationa1  mobi1e  subscriber  identity）であり、nは、拡張スーパーフレーム番号（SFN)のビット数であり；N=min(T，nB)であり；Ns=max(1，nB/T)であり；nB∈{4T，2T，T，T/2，T/4，T/8，T/16，T/32}である。
【００３９】
本実施例では、従来規格と同様に、N及びNｓは特定の物理的意味を有せず、調整可能なパラメータnB及びページング周期Tにより共同決定することができ、また、パラメータnBの値を調整することでN及びNsの値を確定し、これにより、UEのページングメッセージが出現するフレーム番号SFN及びそれ相応のサブフレーム番号i_sを確定することができる。
【００４０】
本実施例では、従来規格と異なるのは、UEのページング周期TがUEの特定のDRX(Discontinuous  Reception、不連続受信）値のみにより決定され、システムメッセージ中のブロードキャストされるデフォルトDRX値を無視することにあり、これにより、ページング周期の拡張の目的を達成する。
【００４１】
本実施例では、従来規格と異なるのは、nビットのSFNを導入することで、SFNの値範囲を[0，1023]から[0，1024*2n-1]まで拡張することにあり、そのため、ユーザのID索引については、公式UE_IDextended=IMSI  mod  (1024・2n)に基づく計算により得る必要があり、これにより、UEのページング時点が拡張SFNの値範囲内で均一に分布することを保証することができる。
【００４２】
本発明の実施例の方法により、拡張ページング周期下でのページング時点の計算方法を提供することで、UEのページング時点が拡張SFNの値範囲内で均一に分布することを保証することができる。
【実施例２】
【００４３】
本発明の実施例は更に拡張ページング周期下でのページング時点の計算方法を提供し、該方法は移動管理実体（MME、Mobi1ity  Management  Entity)に用いられる。図2は、該方法のフローチャートであり、図2に示すように、該方法は次のステップを含む。
【００４４】
ステップ201：MMEが公式UE_IDextended=IMSI  mod  (1024・2n)を用いて、UEのID索引UE_IDextendedを計算し；
ステップ202：前記MMEが前記UEのID索引UE_IDextendedを基地局（eNB)に送信し、これにより、前記eNBがこれに基づいて前記UEのページング時点を計算し；
そのうち、IMSIは、前記UEの国際移動体加入者識別番号であり、nは、拡張スーパーフレーム番号（SFN)のビット数である。
【００４５】
本実施例では、UE及びeNBの理解（認識）が一致することを保証するために、eNBも該UEのページング時点を計算する必要があり、これにより、計算したページング時点に対応する位置でページングメッセージを送信する。しかし、eNBがUEのIMSIを知らないため、MMEはその把握している各UEのIMSIに基づいて各UEのID索引UE_IDextendedを計算し、そして、eNBに送信する必要があり、これにより、eNBは各UEのページング時点を計算することができる。そのうち、eNBがUEのページング時点を計算する方法については、以下の実施例中で説明する。
【００４６】
UEが実施例1の方法でそのページング時点を計算する時に、MMEは本実施例の方法でUE_IDextendedを計算してeNBに提供し、これにより、UE及びeNBの該UEのページング時点に対しての理解が一致することを確保し、ページングメッセージの送信及び受信を保証し、また、SFN拡張後のページング時点の分布不均一問題を克服することができる。
【実施例３】
【００４７】
本発明の実施例は更に拡張ページング周期下でのページング時点の計算方法を提供し、該方法はeNBに用いられる。図3は該方法のフローチャートであり、図3に示すように、該方法は次のステップを含む。
【００４８】
ステップ301：eNBがMMEにより送信されたUEのID索引UE_IDextendedを受信し；
ステップ302：前記eNBが公式SFN  mod  T=(T  div  N)*(UE_IDextended  mod  N)を用いて、前記UEのページングメッセージが出現するフレーム番号SFNを計算し；
ステップ303：前記eNBが公式i_s=f1oor(UE_IDextended/N)  mod  Nsを用いて、前記UEのページングメッセージが出現するサブフレーム番号i_sを計算し；
ステップ304：前記eNBが、前記UEのページングメッセージが出現するフレーム番号SFN及びサブフレーム番号i_sを用いて、前記UEの拡張ページング周期下でのページング時点を確定し；
そのうち、Tは、前記UEのページング周期であり、且つ、Tは、前記UEの特定の不連続受信(DRX)値に等しく；N=min(T，nB)であり；Ns=max(1，nB/T)であり；nB∈{4T，2T，T，T/2，T/4，T/8，T/16，T/32}である。
【００４９】
本実施例では、実施例2の方法に対応して、eNBは、該MMEが送信したUEのUE_IDextendedを受信し、そして、これに基づいてUEのページング時点を計算する（ページングメッセージが出現するフレーム番号及びサブフレーム番号により唯一確定する）ことができ、その計算方法は、実施例1のUEがそのページング時点を計算する方法に類似するが、異なるのは、実施例1では、公式UE_IDextended=IMSI  mod  (1024・2n)に基づいてそのID索引を計算したが、本実施例では、eNBがMMEから該UEのID索引を取ることにある。
【００５０】
本実施例では、eNBはUEのページング時点を計算した後に、該ページング時点に対応する位置で該UEにページングメッセージを送信することができ、また、UE及びeNBのページング時点に対しての理解が一致するため、UEはそれ相応の位置で該ページングメッセージをモニタリングすることができ、これにより、ページングメッセージの送信及び受信を保証することができる。
【００５１】
本実施例の方法により、eNBがMMEの送信したUEのUE_IDextendedに基づいて該UEのページング時点を計算することで、UE及びeNBの該UEのページング時点に対しての理解が一致することを確保し、ページングメッセージの送信及び受信を保証し、また、SFN拡張後のページング時点の分布不均一問題を克服することができる。
【００５２】
以上の実施例1〜実施例3において、各ステップを実行する前後順序は例示にすぎず、本発明の実施例はこれに限定されない。具体的な実施過程において、各ステップは合併して実行することができ、順序を変えて実行することもでき、即ち、具体的には、実現態様に応じて調整することができる。
【００５３】
実施例1〜3の方法に対応して、本発明の実施例は更にUE、MME、及びeNBをそれぞれ提供する。以下、実施例4〜実施例6をもとに、該UE、MME、及びeNBについて説明する。
【実施例４】
【００５４】
本発明の実施例は更にユーザ装置（UE)を提供し、該UEが問題を解決する原理は実施例1の方法に類似するので、その具体的な実施は実施例1の方法の実施を参照することができ、また、内容が同じ重複説明は省略される。
【００５５】
図4は本実施例のUEの構成図であり、図4に示すように、該UEは次のものを含む。
【００５６】
第一計算ユニット41：公式SFN  mod  T=(T  div  N)*(UE_IDextended  mod  N)を用いて、ページングメッセージが出現するフレーム番号SFNを計算し；
第二計算ユニット42：公式i_s=f1oor(UE_IDextended/N)  mod  Nsを用いて、ページングメッセージが出現するサブフレーム番号i_sを計算し；
確定ユニット43：前記第一計算ユニット41が計算した、前記UEのページングメッセージが出現するフレーム番号及び前記第二計算ユニット42が計算した、前記UEのページングメッセージが出現するサブフレーム番号に基づいて、前記UEの拡張ページング周期下でのページング時点を確定し；
そのうち、Tは、前記UEのページング周期であり、且つ、Tは、前記UEの特定の不連続受信（DRX)値に等しく；UE_IDextended=IMSI  mod  (1024・2n)であり、UE_IDextendedは、前記UEのID索引であり、IMSIは、前記UEの国際移動体加入者識別番号（internationa1  mobi1e  subscriber  identity）であり、nは、拡張スーパーフレーム番号（SFN)のビット数であり；N=min(T，nB)であり；Ns=max(1，nB/T)であり；nB∈{4T，2T，T，T/2，T/4，T/8，T/16，T/32}である。
【００５７】
本実施例のUEにより、ページング時点を計算することで、拡張ページング周期の下でページング時点が拡張SFNの値範囲内で均一に分布することを確保することができる。
【実施例５】
【００５８】
本発明の実施例は更に移動管理実体（MME)を提供し、該MMEが問題を解決する原理は、実施例2の方法に類似するので、その具体的な実施は実施例2の方法の実施を参照することができ、また、内容が同じ重複説明は省略される。
【００５９】
図5は本実施例のMMEの構成図であり、図5に示すように、該MMEは次のものを含む。
【００６０】
計算ユニット51：公式UE_IDextended=IMSI  mod  (1024・2n)を用いて、UEのID索引UE_IDextendedを計算し；
送信ユニット52：前記UEのID索引UE_IDextendedを基地局（eNB)に送信し、これにより、前記eNBがこれに基づいて前記UEのページング時点を計算し；
そのうち、IMSIは前記UEの国際移動体加入者識別番号であり、nは拡張スーパーフレーム番号（SFN)のビット数である。
【００６１】
本実施例のMMEにより、UEのID索引を計算してeNBに提供することで、eNBの該UEのページング時点の計算を助けることができ、これにより、UE及びeNBの該UEのページング時点に対して理解が一致することを確保し、ページングメッセージの送信及び受信を保証し、また、SFN拡張後のページング時点の分布不均一問題を克服することができる。
【実施例６】
【００６２】
本発明の実施例は更に基地局（eNB)を提供し、該eNBが問題を解決する原理は、実施例3の方法に類似するので、その具体的な実施は実施例3の方法の実施を参照することができ、また、内容が同じ重復説明は省略される。
【００６３】
図6は本実施例のeNBの構成図であり、図6に示すように、該eNBは次のものを含む。
【００６４】
受信ユニット61：MMEにより送信されたUEのID索引UE_IDextendedを受信し；
第一計算ユニット62：公式SFN  mod  T=(T  div  N)*(UE_IDextended  mod  N)を用いて、前記UEのページングメッセージが出現するフレーム番号SFNを計算し；
第二計算ユニット63：公式i_s=f1oor(UE_IDextended/N)  mod  Nsを用いて、前記UEのページングメッセージが出現するサブフレーム番号i_sを計算し；
確定ユニット64：前記第一計算ユニット62が計算した、前記UEのページングメッセージが出現するフレーム番号SFN、及び、前記第二計算ユニット63が計算した、サブフレーム番号i_sを用いて、前記UEの拡張ページング周期下でのページング時点を確定し；
そのうち、Tは、前記UEのページング周期であり、且つ、Tは、前記UEの特定の不連続受信(DRX)値に等しく；N=min(T，nB)であり；Ns=max(1，nB/T)であり；nB∈{4T，2T，T，T/2，T/4，T/8，T/16，T/32}である。
【００６５】
本実施例のeNBにより、受信したMMEの送信したUEのID索引に基づいてUEのページング時点を計算することで、UE及びeNBの該UEのページング時点に対しての理解が一致することを確保し、ページングメッセージの送信及び受信を保証し、また、SFN拡張後のページング時点の分布不均一問題を克服することができる。
【００６６】
以下、実施例7〜実施例9をもとに、本発明の実施例による第二種のUEのページング時点を計算する方法を説明する。
【実施例７】
【００６７】
本発明の実施例は更に拡張ページング周期下でのページング時点の計算方法を提供し、該方法はUEに用いられる。図7は該方法のフローチャートであり、図7に示すように、該方法は次のステップを含む。
【００６８】
ステップ701：UEが公式SFN  mod  T=(T  div  N)*(UE_ID  mod  N)を用いて、原始SFNの索引SFNを計算し、また、公式SFNindexoffset=f1oor(IMSI/1024)  mod  2n及び（SFNindex-SFNindexoffset)  mod  (Textended/1024)=0を用いて、拡張SFNの索引SFNindexを計算し；
ステップ702：前記UEが前記原始SFNの索引SFN及び前記拡張SFNの索引SFNindexに基づいて、前記UEのページングメッセージが出現するフレーム番号を確定し；
そのうち、SFN及びSFNindexはともに2進数であり、この２つの値を併合し、即ち、SFNindexに対応する2進数を、SFNに対応する2進数の左側に置いて両者を併合することで１つの値を成す。得られた値は、該UEのページング時点が出現するフレーム番号であり、且つ、最大有効桁は、最も左側のビットである。
【００６９】
例えば、SFNindexが100でり、SFNが00100であるとすると、ステップ702により、ページングメッセージが出現するフレーム番号が10000100であり、最大有効桁が最も左側のビット'1'であると確定することができる。
【００７０】
ステップ703：前記UEが公式i_s=f1oor(UE_ID/N)  mod  Nsを用いて、ページングメッセージが出現するサブフレーム番号i_sを計算し；
ステップ704：前記UEが、前記ページングメッセージが出現するフレーム番号及びサブフレーム番号を用いて、前記UEの拡張ページング周期下でのページング時点を確定し；
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり；nは、前記拡張SFNのビット数であり；N=min(T，nB)であり；Ns=max(1，nB/T)であり；nB∈{4T，2T，T，T/2，T/4，T/8，T/16，T/32}である。
【００７１】
本実施例では、１つの新しいパラメータSFNindexoffsetを、拡張されたnビットのSFNの相対オフセットのために導入し、そして、該パラメータ及び（SFNindex-SFNindexoffset)  mod  (Textended/1024)=0を用いて、拡張されたnビットのSFNの索引SFNindexを確定することができる。そのうち、SFNindex及びSFNindexoffsetはともに区間[0，2n-1]に属し、Textendedは、拡張後のUEのページング周期を表す。
【００７２】
本実施例では、原始SFNの索引SFN及び拡張SFNの索引SFNindexという２つのパラメータを得た後に、UEの確実なページング時点のSFN値を確定することができる。
【００７３】
本実施例では、UEのページング時点が出現する各フレームのサブフレーム番号について、公式i_s=f1oor(UE_ID/N)  mod  Nsに基づく計算により得ることができ、そのうち、各パラメータの意味は上述と同様であり、ここでは詳しい説明が省略される。
【００７４】
本実施例の方法により、新しいパラメータを導入して拡張SFNのSFNindexを計算し、そして、原始SFNの索引SFNとともに、UEのページングメッセージが出現するフレーム番号を確定することができ、これにより、UEのページング時点が拡張後のSFNの値範囲内で均一に分布することを保証し、そして、ページングメッセージの送信及び受信を保証することができる。
【実施例８】
【００７５】
本発明の実施例は更に拡張ページング周期下でのページング時点の計算方法を提供し、該方法はMMEに用いられる。図8は該方法のフローチャートであり、図8に示すように、該方法は次のステップを含む。
【００７６】
ステップ801：MMEが公式SFNindexoffset=f1oor(IMSI/1024)  mod  2nを用いて、拡張SFNの索引SFNindexの相対オフセットSFNindexoffsetを計算し；
ステップ802：前記MMEが前記拡張SFNの索引SFNindexの相対オフセットSFNindexoffsetをeNBに送信し、これにより、前記eNBがこれに基づいて前記UEのページング時点を計算し；
そのうち、IMSIは前記UEの国際移動体加入者識別番号であり、nは前記拡張SFNのビット数である。
【００７７】
本実施例では、実施例2と同様に、UE及びeNBの理解が一致することを保証するために、eNBも該UEのページング時点を計算する必要があり、これにより、計算したページング時点に対応する位置でページングメッセージを送信する。しかし、eNBがUEのIMSIを知らないため、MMEはその把握している各UEのIMSIに基づいて各UEのパラメータSFNindexoffsetを計算し、そして、eNBに送信する必要があり、これにより、eNBは、各UEのページング時点を計算することができる。そのうち、eNBがUEのページング時点を計算する方法にいては、以下の実施例で説明する。
【００７８】
UEが実施例7の方法でそのページング時点を計算する時に、MMEは本実施例の方法でSFNindexoffsetを計算し、そして、eNBに提供し、これにより、UE及びeNBの該UEのページング時点に対しての理解が一致することを確保し、ページングメッセージの送信及び受信を保証し、また、SFN拡張後のページング時点の分布不均一問題を克服することができる。
【実施例９】
【００７９】
本発明の実施例は更に拡張ページング周期下でのページング時点の計算方法を提供し、該方法はeNBに用いられる。図9は該方法のフローチャートであり、図9に示すように、該方法は次のステップを含む。
【００８０】
ステップ901：eNBがMMEにより送信された拡張SFNの索引SFNindexの相対オフセットSFNindexoffsetを受信し；
ステップ902：前記eNBが公式（SFNindex-SFNindexoffset)  mod  (Textended/1024)=0を用いて、拡張SFNの索引SFNindexを確定し；
ステップ903：前記eNBが公式SFN  mod  T=(T  div  N)*(UE_ID  mod  N)を用いて、原始SFNの索引SFNを計算し；
ステップ904：前記eNBが前記原始SFNの索引SFN及び前記拡張SFNの索引SFNindexに基づいて、前記UEのページングメッセージが出現するフレーム番号を確定し；
ステップ905：前記eNBが公式i_s=f1oor(UE_ID/N)  mod  Nsを用いて、前記UEのページングメッセージが出現するサブフレーム番号i_sを計算し；
ステップ906：前記eNBが、前記ページングメッセージが出現するフレーム番号及びサブフレーム番号を用いて、前記UEの拡張ページング周期下でのページング時点を確定し；
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり、且つ、該UE_IDは、上述のように、該eNBがMMEから得たものであり；nは、前記拡張SFNのビット数であり；N=min(T，nB)であり；Ns=max(1，nB/T)であり；nB∈{4T，2T，T，T/2，T/4，T/8，T/16，T/32}である。
【００８１】
本実施例では、実施例8の方法に対応して、eNBは、該MMEが送信したSFNindexoffsetを受信し、そして、これに基づいてUEのページング時点を計算する（ページングメッセージが出現するフレーム番号及びサブフレーム番号により唯一確定する）ことができ、その計算方法は、実施例7のUEがそのページング時点を計算する方法に類似し、異なるのは、実施例7において、UEが公式SFNindexoffset=f1oor(IMSI/1024)  mod  2nに基づいて、SFNindexoffsetを計算するが、本実施例において、eNBがMMEから該SFNindexoffsetを得ることにある。
【００８２】
本実施例では、eNBは、UEのページング時点を計算した後に、該ページング時点に対応する位置で該UEにページングメッセージを送信することができ、また、UE及びeNBのページング時点に対しての理解が一致するため、UEは、それ相応の位置で該ページングメッセージをモニタリングすることで、ページングメッセージの送信及び受信を保証することができる。
【００８３】
本実施例の方法により、eNBがMMEにより送信されたSSFNindexoffsetに基づいて該UEのページング時点を計算することで、UE及びeNBの該UEのページング時点に対しての理解が一致することを確保し、ページングメッセージの送信及び受信を保証し、また、SFN拡張後のページング時点の分布不均一問題を克服することができる。
【００８４】
以上の実施例7〜実施例9において、各ステップを実行する前後順序は例示にすぎず、本発明の実施例はこれに限定されない。具体的な実施過程において、各ステップは合併して実行することができ、順序を変えて実行することもでき、即ち、具体的には、実現態様に応じ調整することができる。
【００８５】
実施例7〜9の方法に対応して、本発明の実施例は更にUE、MME、及びeNBをそれぞれ提供する。以下、実施例10〜実施例12をもとに、該UE、MME、及びeNBについて説明する。
【実施例１０】
【００８６】
本発明の実施例は更にユーザ装置（UE)を提供し、該UEが問題を解決する原理は、実施例7の方法に類似するので、その具体的な実施は実施例7の方法の実施を参照することができ、また、内容が同じ重複説明は省略される。
【００８７】
図10は本実施例のUEの構成図であり、図10に示すように、該UEは次のものを含む。
【００８８】
第一計算ユニット1001：公式SFN  mod  T=(T  div  N)*(UE_ID  mod  N)を用いて原始SFNの索引SFNを計算し、また、公式SFNindexoffset=f1oor(IMSI/1024)  mod  2n及び（SFNindex-SFNindexoffset)  mod  (Textended/1024)=0を用いて拡張SFNの索引SFNindexを計算し；
第一確定ユニット1002：前記第一計算ユニット1001が計算した原始SFNの索引SFN及び前記拡張SFNの索引SFNindexに基づいて、前記UEのページングメッセージが出現するフレーム番号を確定し；
第二計算ユニット1003：公式i_s=f1oor(UE_ID/N)  mod  Nsを用いて、前記UEのページングメッセージが出現するサブフレーム番号i_sを計算し；
第二確定ユニット1004：前記第一確定ユニット1002が確定した、前記UEのページングメッセージが出現するフレーム番号、及び、前記第二計算ユニット1003が計算した、前記UEのページングメッセージが出現するサブフレーム番号を用いて、前記UEの拡張ページング周期下でのページング時点を確定し；
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり；nは、前記拡張SFNのビット数であり；N=min(T，nB)であり；Ns=max(1，nB/T)であり；nB∈{4T，2T，T，T/2，T/4，T/8，T/16，T/32}である。
【００８９】
本実施例のUEにより、ページング時点を計算することで、拡張ページング周期下でのページング時点が拡張SFNの値範囲内で均一に分布することを確保することができる。
【実施例１１】
【００９０】
本発明の実施例は更に移動管理実体（MME)を提供し、該MMEが問題を解決する原理は、実施例8の方法に類似するので、その具体的な実施は実施例8の方法の実施を参照することができ、また、内容が同じ重複説明は省略される。
【００９１】
図11は本実施例のMMEの構成図であり、図11に示すように、該MMEは次のものを含む。
【００９２】
計算ユニット1101：公式SFNindexoffset=f1oor(IMSI/1024)  mod  2nを用いて、拡張SFNの索引SFNindexの相対オフセットSFNindexoffsetを計算し；
送信ユニット1102：前記計算ユニット1101が計算した前記拡張SFNの索引SFNindexの相対オフセットSFNindexoffsetをeNBに送信し、これにより、前記eNBがこれに基づいて前記UEのページング時点を計算し；
そのうち、IMSIは、前記UEの国際移動体加入者識別番号であり、nは、前記拡張SFNのビット数である。
【００９３】
本実施例のMMEにより、SFNindexoffsetを計算し、そして、eNBに提供することで、eNBの該UEのページング時点の計算を助けることができ、これにより、UE及びeNBの該UEのページング時点に対しての理解が一致することを確保し、ページングメッセージの送信及び受信を保証し、また、SFN拡張後のページング時点の分布不均一問題を克服することができる。
【実施例１２】
【００９４】
本発明の実施例は更に基地局（eNB)を提供し、該eNBが問題を解決する原理は、実施例9の方法に類似するので、その具体的な実施は実施例9の方法の実施を参照することができ、また、内容が同じ重復説明は省略される。
【００９５】
図12は本実施例のeNBの構成図であり、図12に示すように、該eNBは次のものを含む。
【００９６】
受信ユニット1201：MMEが送信した拡張SFNの索引SFNindexの相対オフセットSFNindexoffsetを受信し；
第一確定ユニット1202：公式（SFNindex-SFNindexoffset)  mod  (Textended/1024)=0を用いて、拡張SFNの索引SFNindexを確定し；
第一計算ユニット1203：公式SFN  mod  T=(T  div  N)*(UE_ID  mod  N)を用いて、原始SFNの索引SFNを計算し；
第二確定ユニット1204：前記第一計算ユニット1203が計算した前記原始SFNの索引SFN及び前記第一確定ユニット1202が確定した拡張SFNの索引SFNindexに基づいて、前記UEのページングメッセージが出現するフレーム番号を確定し；
第二計算ユニット1205：公式i_s=f1oor(UE_ID/N)  mod  Nsを用いて、前記UEのページングメッセージが出現するサブフレーム番号i_sを計算し；
第三確定ユニット1206：前記第二確定ユニット1204が確定した、前記UEのページングメッセージが出現するフレーム番号、及び、前記第二計算ユニット1205が計算した、前記UEのページングメッセージが出現するサブフレーム番号を用いて、前記UEの拡張ページング周期下でのページング時点を確定し；
そのうち、Tは、前記UEのページング周期であり、且つ、Tは、前記UEの特定の不連続受信（DRX)値及びシステムメッセージ中のブロードキャストされるデフォルトDRX値のうちの最小値に等しく；Textendedは、拡張後のUEのページング周期であり、且つ、Textendedは、前記UEの特定の不連続受信（DRX)値に等しく；UE_ID=IMSI  mod  (1024)であり、UE_IDは、前記UEのID索引であり、IMSIは、前記UEの国際移動体加入者識別番号であり、且つ、UE_IDは、上述のように、eNBがMMEから得たものであり；nは、拡張SFNのビット数であり；N=min(T，nB)であり；Ns=max(1，nB/T)であり；nB∈{4T，2T，T，T/2，T/4，T/8，T/16，T/32}である。
【００９７】
本実施例のeNBにより、受信したMMEの送信したSFNindexoffsetに基づいてUEのページング時点を計算することで、UE及びeNBの該UEのページング時点に対して理解が一致することを確保し、ページングメッセージの送信及び受信を保証し、また、SFN拡張後のページング時点の分布不均一問題を克服することができる。
【００９８】
本発明の実施例は更に通信システムを提供し、そのうち、前記通信システムは実施例4に記載のUE、実施例5に記載のMME、及び実施例6に記載のeNBを含む。
【００９９】
本発明の実施例は更に通信システムを提供し、そのうち、前記通信システムは実施例10に記載のUE、実施例11に記載のMME、及び実施例12に記載のeNBを含む。
【０１００】
本発明の実施例は更にコンピュータ可読プログラムを提供し、そのうち、端末装置中で該プログラムを実行する時に、該プログラムは、コンピュータに、前記端末装置中で実施例1又は7に記載の拡張ページング周期下でのページング時点の計算方法を実行させる。
【０１０１】
本発明の実施例は更にコンピュータ可読プログラムを記憶した記憶媒体を提供し、そのうち、該コンピュータ可読プログラムは、コンピュータに、端末装置中で実施例1又は7に記載の拡張ページング周期下でのページング時点の計算方法を実行させる。
【０１０２】
本発明の実施例は更にコンピュータ可読プログラムを提供し、そのうち、移動管理実体中で該プログラムを実行する時に、該プログラムは、コンピュータに、前記移動管理実体中で実施例2又は8に記載の拡張ページング周期下でのページング時点の計算方法を実行させる。
【０１０３】
本発明の実施例は更にコンピュータ可読プログラムを記憶した記憶媒体を提供し、そのうち、該コンピュータ可読プログラムは、コンピュータに、移動管理実体中で実施例2又は8に記載の拡張ページング周期下でのページング時点の計算方法を実行させる。
【０１０４】
本発明の実施例は更にコンピュータ可読プログラムを提供し、そのうち、基地局中で該プログラムを実行する時に、該プログラムは、コンピュータに、前記基地局中で実施例3又は9に記載の拡張ページング周期下でのページング時点の計算方法を実行させる。
【０１０５】
本発明の実施例は更にコンピュータ可読プログラムを記憶した記憶媒体を提供し、そのうち、該コンピュータ可読プログラムは、コンピュータに、基地局中で実施例3又は9に記載の拡張ページング周期下でのページング時点の計算方法を実行させる。
【０１０６】
本発明の以上の装置及び方法は、ハードウェアで実現されても良く、ハードウェアとソフトウェアとの組み合わせで実現されても良い。また、本発明は、このようなコンピュータ可読プログラムに関し、即ち、該プログラムがロジック部品により実行される時に、該ロジック部品に、上述の装置又は構成要素を実現させることができ、又は、該ロジック部品に、上述の各種方法又はステップを実現させることができる。
【０１０７】
また、本発明は、上記プログラムを記憶した記録媒体にも関し、該記録媒体は、例えば、ハードディスク、磁気ディスク、光ディスク、DVD、f1ashメモリなどであっても良い。
【０１０８】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2016524839.tif 000003
【図２】
2016524839.tif 000004
【図３】
2016524839.tif 000005
【図４】
2016524839.tif 000006
【図５】
2016524839.tif 000007
【図６】
2016524839.tif 000008
【図７】
2016524839.tif 000009
【図８】
2016524839.tif 000010
【図９】
2016524839.tif 000011
【図１０】
2016524839.tif 000012
【図１１】
2016524839.tif 000013
【図１２】
2016524839.tif 000014
【国際調査報告】
2016524839.tif 000015
2016524839.tif 000016
2016524839.tif 000017
2016524839.tif 000018